(57)【要約】      （修正有）【課題】身長の異なる利用者がそれぞれ適した高さから行先階が指定できる構成の簡単なエレベータの行先階登録装置を提供する。【解決手段】エレベータの行先階登録装置は、エレベータの乗りカゴ３内のスクリーン２にボタン映像を映写する映写手段と、スクリーンのボタン映像が映写されている側にスクリーンと平行に赤外レーザーを照射し、赤外レーザーが遮られたとき、利用者がボタン映像に触れたことを検知する位置検知手段と、利用者がボタン映像に触れたとき、ボタン映像に触れた様子を撮影し、触れたボタンを検出する行先階検出手段と、を備える。【選択図】図１
2008013299.tif 000002
【特許請求の範囲】
【請求項１】
エレベータの乗りカゴ内のスクリーンの出入口側にボタン映像を映写する映写手段と、
上記スクリーンのボタン映像が映写されている側に上記スクリーンと平行に赤外レーザーを照射し、上記赤外レーザーが遮られたとき、利用者が上記ボタン映像に触れたことを検知する位置検知手段と、
利用者が上記ボタン映像に触れたことを検知されたとき、上記ボタン映像に触れた様子を撮影し、触れたボタンを検出する行先階検出手段と、
を備えることを特徴とするエレベータの行先階登録装置。
【請求項２】
乗りカゴの出入口の異なる高さの位置をそれぞれ横切るビームを送受信する複数のビームセンサと、
ビームが遮られた上記ビームセンサの高さに基づいて利用者の身長を判別する身長判別手段と、
を備え、
上記映写手段は、上記利用者の身長に基づいてボタン映像を映写する高さを変化することを特徴とする請求項１に記載するエレベータの行先階登録装置。
【請求項３】
上記スクリーンがフォグスクリーンであり、
エレベータの乗りカゴ内に天井から噴霧される霧の層が両側から天井から噴霧される空気の層で挟まれたフォグスクリーンを発生するスクリーン発生手段と、
上記乗りカゴの床に設置され、上記噴霧された霧と空気を回収する回収手段と、
を備えることを特徴とする請求項１または２に記載するエレベータの行先階登録装置。
【請求項４】
上記スクリーンが上記乗りカゴの壁であることを特徴とする請求項１または２に記載するエレベータの行先階登録装置。
【発明の詳細な説明】
【技術分野】
【０００１】
この発明は、エレベータの行先階登録装置に関するものである。
【背景技術】
【０００２】
行先階を指示するためのボタンが標準身長の人を基準として押しやすい位置に設けられていると、老人や子供、そして車いすに乗った乗客など、身長の低い人にとって、押すことが非常に困難であり、たとえ手が届いたとしても階を表示する数字が見えにくいボタンを、下から無理な姿勢で押すことになるので間違った行先階を押してしまうおそれもあった。
【０００３】
そこで、身長の低い人でも行先階ボタンを容易にしかも正確に押すことが可能なエレベータの操作盤が提案されている。このエレベータの操作盤は、エレベータのかごの内壁面に設けられ乗客の接触する上下方向の位置を検知する接触位置検知手段と、この接触位置検知手段により、低い位置に接触されたことが検知された場合には、高い位置に接触された場合に表示する位置よりも低い位置にエレベータの階を示す文字列を少なくとも表示する文字列表示手段と、この文字列表示手段により表示された文字のうち押された文字を検知してその文字の階をエレベータのかご室の行先階とする手段とを備えている（例えば、特許文献１参照）。
【０００４】
【特許文献１】特開２００３−９５５４７号公報
【発明の開示】
【発明が解決しようとする課題】
【０００５】
しかし、この操作盤は身長の高い人から身長の低い人にまで対応すると、文字列を表示するとともに文字列を選択することができるタッチパネル付き表示部に大型のものを使用しなければならないという問題がある。
また、乗客の接触する上下方向の位置を検出し、文字列をその上下方向の位置に対応する位置に表示し、押された文字を検知して行先階を登録するので、操作盤の構成が複雑になるという問題がある。
【０００６】
この発明の目的は、身長の異なる利用者がそれぞれ適した高さから行先階が指定できる構成の簡単なエレベータの行先階登録装置を提供することである。
【課題を解決するための手段】
【０００７】
この発明に係わるエレベータの行先階登録装置は、エレベータの乗りカゴ内のスクリーンにボタン映像を映写する映写手段と、上記スクリーンのボタン映像が映写されている側に上記スクリーンと平行に赤外レーザーを照射し、上記赤外レーザーが遮られたとき、利用者が上記ボタン映像に触れたことを検知する位置検知手段と、利用者が上記ボタン映像に触れたとき、ボタン映像に触れた様子を撮影し、触れたボタンを検出する行先階検出手段と、を備える。
【発明の効果】
【０００８】
この発明に係わるエレベータの行先階登録装置の効果は、スクリーンに行先階を指定するためのボタン映像が映写され、そのボタン映像に利用者が触れたとき利用者を含んだボタン映像を撮影し、その撮影した画像から行先階を検出するので、ボタン映像の映写される位置を上下に移動することにより、身長の高い人から低い人まで容易にボタン映像に触れることができる。
【発明を実施するための最良の形態】
【０００９】
実施の形態１．
図１は、この発明の実施の形態１に係わるエレベータの行先階登録装置の側面図である。図２は、実施の形態１に係わるエレベータの行先階登録装置を乗場から見た正面図である。図３は、実施の形態１に係わるエレベータの行先階登録装置を天井から見た正面図である。図４は、実施の形態１に係わる表示制御装置の機能ブロック図である。
この実施の形態１に係わるエレベータの行先階登録装置は、図１から図３に示すように、ボタン映像１を映写するスクリーンとしてフォグスクリーン２を用いている。そして、エレベータの行先階登録装置は、エレベータの乗りカゴ３内に天井４から噴霧する霧の層５が両側から天井から噴霧する空気の層６により挟まれたフォグスクリーン２を発生するスクリーン発生手段としての霧発生装置７と、乗りカゴ３の床８に設置され、噴霧された霧と空気とを回収する回収手段としての回収器９と、を備える。
【００１０】
また、エレベータの行先階登録装置は、エレベータの乗りカゴ３内のフォグスクリーン２の出入口側にボタン映像１を映写する映写手段としてのホログラフィック光学素子１１およびレーザーモジュール１２と、フォグスクリーン２のボタン映像１が映写されている側にフォグスクリーン２と平行に赤外レーザーを照射し、赤外レーザーが遮られたとき、利用者がボタン映像１に触れたことを検知する位置検知手段としての赤外レーザーモジュール１３と、利用者がボタン映像１に触れたことを検知されたとき、ボタン映像１に触れた様子を撮影するカメラ１４と、行先階登録装置を制御する表示制御装置１５と、を備える。
【００１１】
霧発生装置７は、乗りカゴ３の天井４に配置され、下方に向けて乗りカゴ３内にフォグスクリーンを発生する。このフォグスクリーンは、２層の薄い層状に空気を噴き出すとともに、空気層６の間に高密度且つ均一な霧の層５を噴出することにより形成される。すなわち、フォグスクリーン２は、２層の空気層６で霧の層５を挟み込むことにより発生されている。また、フォグスクリーン２は、乗りカゴ３の出入口１６に平行するように、出入口１６から所定の距離入り込んだ位置に発生されている。
霧発生装置７は、乗りカゴ３の天井４の上に設置された水タンク１７が接続されており、水タンク１７から供給される水を噴霧する。
【００１２】
回収器９は、乗りカゴ３の床８に配置され、フォグスクリーン２を構成する空気および霧を吸い込んで回収する。回収された霧は、回収器９内で水に変えられ、配管を通して水タンク１７に戻される。すなわち、噴霧される水は、水タンク１７、霧発生装置７、回収器９を経由して再び水タンク１７に戻り、繰り返し利用される。
【００１３】
ホログラフィック光学素子１１は、乗りカゴ３のカゴドア１８の上方に配置され、ボタン映像１のホログラムが記録されている。レーザーモジュール１２は、フォグスクリーン２からホログラフィック光学素子１１に延びる線の延長線上に配置され、再生光としてのレーザー光を照射する。
赤外レーザーモジュール１３は、乗りカゴ３の天井４に配置され、フォグスクリーン２の出入口側の手前に、天井４から下方に向いて赤外レーザー光を照射し、映写されたボタン映像１の位置で赤外レーザー光が反射されたときボタン映像１に利用者が触れたことを検知する。
カメラ１４は、乗りカゴ３のカゴドア１８の上方に配置され、フォグスクリーン２に映写されたボタン映像１を撮影する。
【００１４】
なお、ボタン映像１をフォグスクリーン２の出入口側に映写するので、レーザーモジュール１２、ホログラフィック光学素子１１、カメラ１４、赤外レーザーモジュール１３は、フォグスクリーン２よりも出入口側に配置されている。
【００１５】
表示制御装置１５は、図４に示すように、エレベータ制御装置１９からのかご運行情報に応じて、フォグスクリーン２を発生するために霧発生装置７および回収器９を制御するスクリーン制御手段２１、かご運行情報に応じて、ボタン映像１をフォグスクリーン２に映写するためにレーザーモジュール１２を制御する映写制御手段２２、利用者がボタン映像１に触れたとき、カメラ１４を制御してボタン映像１を撮影し、撮影された画像を解析して利用者が指定した行先階を検出する画像解析手段２３と、を有する。なお、カメラ１４と画像解析手段２３により行先階検出手段を構成している。
【００１６】
また、表示制御装置１５は、エレベータの運転を制御するエレベータ制御装置１９に接続されている。このエレベータ制御装置１９は、図示しない群管理装置からの割り当てなどに応じて乗りカゴ３を運行する。
この例では、乗りカゴ３が停止しているときには、フォグスクリーン２を発生し、ボタン映像１を映し出し、赤外レーザーを出射している。逆に、乗りカゴ３が走行しているときには、フォグスクリーン２の発生を中止し、レーザー及び赤外レーザーの照射を停止する。
【００１７】
図５は、この発明の実施の形態１に係わるカゴ運行と行先階登録の手順を示すフローチャートである。
次に、この発明の実施の形態１に係わるエレベータの行先階登録装置を用いたときの、カゴ運行と行先階登録の手順を図５を参照して説明する。
ステップＳ１で、エレベータ制御装置１９は呼び登録を受けたか否かを判断する。呼び登録を受けたときステップＳ２に進み、呼び登録を受けていないときステップＳ１を繰り返す。
ステップＳ２で、エレベータ制御装置１９は乗りカゴ３を登録階に運行する。
ステップＳ３で、エレベータ制御装置１９は乗りカゴ３が登録階に到着したか否かを判断する。登録階に到着していないときステップＳ３を繰り返し、登録階に到着したときステップＳ４に進む。
ステップＳ４で、エレベータ制御装置１９はカゴドア１８を開き、同時に表示制御装置１５に行先階登録開始指令を送信する。
【００１８】
ステップＳ５で、表示制御装置１５は霧発生装置７および回収器９を稼動してフォグスクリーン２を発生する。
ステップＳ６で、表示制御装置１５はレーザーモジュール１２を稼動してフォグスクリーン２にボタン映像１を映写する。
ステップＳ７で、表示制御装置１５は赤外レーザーモジュール１３を稼動して赤外レーザーを照射する。
【００１９】
ステップＳ８で、表示制御装置１５は赤外レーザーを検知したか否かを判断する。赤外レーザーを検知したときステップＳ９に進み、赤外レーザーを検知しないときステップＳ１２に進む。
ステップＳ９で、表示制御装置１５はカメラ１４を稼動してボタン映像１を撮影する。
ステップＳ１０で、表示制御装置１５は撮影されたボタン映像１を画像解析し、利用者が触れた行先階を検出し、エレベータ制御装置１９に行先階を登録する。
【００２０】
ステップＳ１１で、エレベータ制御装置１９は新たな利用者が乗り込むことのできる所定の時間待機して、ステップＳ８に戻る。
ステップＳ１２で、エレベータ制御装置１９はカゴドア１８を閉じ、同時に表示制御装置１５に行先階登録終了指令を送信する。
【００２１】
ステップＳ１３で、表示制御装置１５は霧発生装置７および回収器９を停止してフォグスクリーン２の発生を中止する。
ステップＳ１４で、表示制御装置１５はレーザーモジュール１２を停止してボタン映像１の映写を中止する。
ステップＳ１５で、表示制御装置１５は赤外レーザーモジュール１３を停止して赤外レーザーの照射を中止する。
ステップＳ１６で、エレベータ制御装置１９はカゴドア１８が閉じられたら行先階に運行してステップＳ３に戻る。
【００２２】
このように、フォグスクリーン２に行先階を指定するためのボタン映像１が映写され、そのボタン映像１に利用者が触れたとき利用者を含んだボタン映像１を撮影し、その撮影した画像から行先階を検出するので、ボタン映像１の映写される位置を上下に移動することにより、身長の高い人から低い人まで容易にボタン映像１に触れることができる。
【００２３】
また、乗りカゴ３に乗り込む利用者の目の前にボタン映像１が映写されているので、容易に行先階を登録することができる。
また、フォグスクリーン２にボタン映像１を映写するので、従来乗りカゴ３の壁に配置されていた操作盤を省略することができ、意匠性を考慮してデザインすることができる。
なお、フォグスクリーン２は、２層の空気層とそれに挟まれた霧の層から構成されているので、フォグスクリーン２を利用者が横切って乗りかご３内を移動することができる。
【００２４】
実施の形態２．
図６は、この発明の実施の形態２に係わるエレベータの行先階登録装置の構成図である。
この発明の実施の形態２に係わるエレベータの行先階登録装置は、図６に示すように、実施の形態１に係わるエレベータの行先階登録装置に乗り込む利用者の身長のレンジを検知する高さセンサおよびセンサ検知装置３２を追加し、レーザーモジュール１２が異なっており、それ以外は同様であるので、同様な部分に同じ符号を付記して説明は省略する。
実施の形態２に係わる高さセンサは、乗りカゴ３の出入口を通過する人を検出する４つのビームセンサ３１であり、ビームセンサ３１は、水平方向にビームを照射する発信装置と、ビームを受信する受信装置とが対になっている。そして、ビームが遮られると出力がＬＯＷレベルからＨＩＧＨレベルに変化する。各ビームセンサ３１は、出入口の上下方向に所定の距離だけ離れて配置されている。なお、ビームセンサ３１の数は、４個に限るものではなく、適宜設定すればよい。
【００２５】
センサ検知装置３２は、身長判別手段であり、４つのビームセンサ３１の出力が入力されており、出力のレベルがＨＩＧＨに変わったビームセンサ３１の内、最も高い位置に配置されたビームセンサ３１を特定して、利用者の身長のレンジを検知する。そして、センサ検知装置３２は、検知した身長のレンジをエレベータ制御装置１９に送信する。エレベータ制御装置１９は、表示制御装置１５にその身長のレンジを送信する。
【００２６】
表示制御装置１５は、身長のレンジに応じてレーザーモジュール１２の傾斜角度を調整する。具体的には、身長が高いレンジのときボタン映像１をフォグスクリーン２の高い位置に映写する。逆に、身長が低いレンジのときボタン映像１をフォグスクリーン２の低い位置に映写する。
このように利用者の身長のレンジを検知して、ボタン映像１を映写する位置を身長のレンジに対応するように上下方向に移動するので、利用者に適した高さにボタン映像１を表示することができる。
なお、実施の形態２においてボタン映像１を表示する位置を変えるとき、レーザーモジュール１２の傾斜角度を変化したが、レーザーモジュール１２から投影する映像自体のサイズ、位置を変化してもよい。
【００２７】
また、実施の形態１、２においてボタン映像１をフォグスクリーン２に表示したが、乗りカゴ３内の壁、乗場の壁に投影して行先階の登録をしてもよい。このような場所に映写されたボタン映像１に手が触れると、手で壁を押すので、通常の感覚でボタンを押したように感じることができる。
【図面の簡単な説明】
【００２８】
【図１】この発明の実施の形態１に係わるエレベータの行先階登録装置の側面図である。
【図２】実施の形態１に係わるエレベータの行先階登録装置を乗場から見た正面図である。
【図３】実施の形態１に係わるエレベータの行先階登録装置を天井から見た正面図である。
【図４】実施の形態１に係わる表示制御装置の機能ブロック図である。
【図５】この発明の実施の形態１に係わるカゴ運行と行先階登録の手順を示すフローチャートである。
【図６】この発明の実施の形態２に係わるエレベータの行先階登録装置の構成図である。
【符号の説明】
【００２９】
１  ボタン映像、２  フォグスクリーン、３  乗りカゴ、４  （乗りカゴの）天井、５  霧層、６  空気層、７  霧発生装置、８  （乗りカゴの）床、９  回収器、１１  ホログラフィック光学素子、１２  レーザーモジュール、１３  赤外レーザーモジュール、１４  カメラ、１５  表示制御装置、１６  出入口、１７  水タンク、１８  カゴドア、１９  エレベータ制御装置、２１  スクリーン制御手段、２２  映写制御手段、２３  画像解析手段、３１  ビームセンサ、３２  センサ検知装置。
【図１】
2008013299.tif 000003
【図２】
2008013299.tif 000004
【図３】
2008013299.tif 000005
【図４】
2008013299.tif 000006
【図５】
2008013299.tif 000007
【図６】
2008013299.tif 000008